(57)【要約】      （修正有）【課題】日常生活の中で活用しやすい情報を取得できる紫外線測定装置を提供する。【解決手段】センサからの紫外線情報を、外部から得られる位置情報や天気情報で補正して表示する。センサは、ＵＶ−ＡとＵＶ−Ｂを別に測定する。センサからの紫外線情報を外部に送信し、フィードバック情報を受信する。センサからの紫外線情報と外部から得られる日変化情報に基づき、測定時刻前後の紫外線強度を推定する。季節に合った紫外線の日変化情報を受信して保持しておき、測定を行った時刻における日変化情報を測定情報に合わせて補正する。日変化情報グラフの時間軸の上で測定情報を表示する。受信した紫外線の日変化情報を測定地点における位置情報や天気情報で補正する。【選択図】図１
2011022009.tif 000002
【特許請求の範囲】
【請求項１】
紫外線情報を測定する紫外線センサ部と、外部情報を受信する通信部と、前記紫外線センサ部および前記通信部からの情報を処理する制御部と、前記制御部が提供する紫外線情報を表示する表示部とを有することを特徴とする紫外線測定装置。
【請求項２】
前記紫外線センサ部は、ＵＶ−Ａ領域の紫外線情報を測定する第1紫外線センサ部と、ＵＶ−Ｂ領域の紫外線情報を測定する第２紫外線センサ部を含むことを特徴とする請求項１記載の紫外線測定装置。
【請求項３】
前記通信部は、近距離通信部であることを特徴とする請求項１または２記載の紫外線測定装置。
【請求項４】
前記通信部は、位置情報を受信することを特徴とする請求項１から３のいずれかに記載の紫外線測定装置。
【請求項５】
前記通信部は、天気情報を受信することを特徴とする請求項１から４のいずれかに記載の紫外線測定装置。
【請求項６】
前記通信部は、紫外線に関する情報を受信することを特徴とする請求項１から５のいずれかに記載の紫外線測定装置。
【請求項７】
前記制御部は、前記通信部からの情報を前記表示部に提供する紫外線情報に加味することを特徴とする請求項１から６のいずれかに記載の紫外線測定装置。
【請求項８】
前記通信部は、前記紫外線センサ部が測定した紫外線情報を外部に送信することを特徴とする請求項１から７のいずれかに記載の紫外線測定装置。
【請求項９】
前記通信部は、前記紫外線センサ部が外部に送信した情報に基づくフィードバック情報を外部から受信することを特徴とする請求項８記載の紫外線測定装置。
【請求項１０】
日変化情報を保持する日変化情報保持部を有し、前記制御部は、前記紫外線センサ部および前記日変化情報保持部からの情報を処理することを特徴とする請求項１から９のいずれかに記載の外線測定装置。
【請求項１１】
紫外線情報を測定する紫外線センサ部と、紫外線情報の日変化を保持する日変化情報保持部と、前記紫外線センサ部および前記日変化情報保持部からの情報を処理する制御部と、前記制御部が提供する紫外線情報および測定時刻以外の推定紫外線情報を表示する表示部とを有することを特徴とする紫外線測定装置。
【請求項１２】
前記制御部は、前記紫外線センサ部からの紫外線情報と、前記紫外線センサ部が測定を行った時刻の情報と前記日変化情報とに基づき、測定時刻以外の紫外線情報を推定することを特徴とする請求項１１記載の紫外線測定装置。
【請求項１３】
前記表示部は、測定時刻以外の紫外線情報は日変化グラフとして表示することを特徴とする請求項１１または１２記載の紫外線測定装置。
【請求項１４】
前記表示部は、日変化グラフ中で前記紫外線センサ部からの紫外線情報を明示することを特徴とする請求項１３記載の紫外線測定装置。
【請求項１５】
前記制御部は、前記紫外線センサ部からの紫外線情報および前記紫外線センサ部が測定を行った時刻における日変化情報の比較に基づいていで日変化グラフ全体を補正することを特徴とする請求項１１から１４のいずれかに記載の紫外線測定装置。
【請求項１６】
外部情報を受信する通信部を有し、前記日変化情報保持部は前記通信部により日変化情報を受信して保持することを特徴とする請求項１１から１５のいずれかに記載の紫外線測定装置。
【請求項１７】
前記制御部は、前記通信部により受信した外部からの日変化情報を位置情報に基づいて補正することを特徴とする請求項１６記載の紫外線測定装置。
【請求項１８】
前記制御部は、前記通信部により受信した外部からの日変化情報を天気情報に基づいて補正することを特徴とする請求項１６または１７記載の紫外線測定装置。
【請求項１９】
紫外線情報を測定する紫外線センサ部と、紫外線情報の日変化を保持する日変化情報保持部と、表示部と、前記日変化情報保持部からの紫外線情報を日変化グラフとして前記表示部に表示させるとともに前記紫外線センサ部からの紫外線情報を前記日変化グラフ上で表示させる制御部とを有することを特徴とする紫外線測定装置。
【請求項２０】
前記制御部は、時刻軸上に示される日変化グラフ上において、前記紫外線センサ部からの紫外線情報を紫外線情報取得時刻に対応する時刻位置に表示させることを特徴とする請求項１９記載の紫外線測定装置。
【請求項２１】
外部から紫外線情報を受信する通信部と、紫外線に影響する補助情報を保持する補助情報保持部と、前記補助情報に基づいて前記紫外線情報を補正する制御部と、前記制御部が補正した紫外線情報を表示する表示部とを有することを特徴とする紫外線測定装置。
【請求項２２】
前記紫外線に影響する補助情報は位置情報であることを特徴とする請求項２１記載の紫外線測定装置。
【請求項２３】
前記紫外線に影響する補助情報は天気情報であることを特徴とする請求項２１または２２記載の紫外線測定装置。
【発明の詳細な説明】
【技術分野】
【０００１】
本発明は、紫外線測定装置に関する。
【背景技術】
【０００２】
近年、地球環境破壊問題とともに紫外線の人体への影響に関する関心が高まり、気象庁等からの紫外線情報が発信されている。また日焼け止め化粧品が普及するとともに日常生活の中で紫外線情報を得ることについても種々の提案がなされている。例えば、特開２００３−２８９９３８号公報（特許文献１）では、紫外線センサを化粧用コンパクトに搭載し、紫外線レベルを表示することが提案されている。
【先行技術文献】
【特許文献】
【０００３】
【特許文献１】特開２００３−２８９９３８号公報
【発明の概要】
【発明が解決しようとする課題】
【０００４】
しかしながら、活用しやすい紫外線情報を提供する上ではまだ種々検討すべき課題が多い。
【０００５】
本発明の課題は、上記に鑑み、日常生活の中で活用しやすい情報を取得できる紫外線測定装置を提供することにある。
【課題を解決するための手段】
【０００６】
上記課題を解決するため、本発明は、紫外線情報を測定する紫外線センサ部と、外部情報を受信する通信部と、紫外線センサ部および通信部からの情報を処理する制御部と、制御部が提供する紫外線情報を表示する表示部とを有する紫外線測定装置を提供する。これによって紫外線センサ部からの現地情報と通信部からの客観情報に基づく紫外線情報を表示することができる。
【０００７】
本発明の具体的な特徴によれば、紫外線センサ部は、ＵＶ−Ａ領域の紫外線情報を測定する第1紫外線センサ部と、ＵＶ−Ｂ領域の紫外線情報を測定する第２紫外線センサ部を含むよう構成することができる。
【０００８】
本発明の他の具体的な特徴によれば、通信部は、近距離通信部である。また、さらに他の具体的な特徴によれば、通信部は、紫外線測定装置の位置情報またはその位置における天気情報または外部で取得された紫外線に関する情報を受信する。本発明の他の具体的な特徴によれば、制御部は、通信部からの情報を、表示部に提供する紫外線情報に加味する処理を行う。
【０００９】
また、他の具体的な特徴によれば、通信部は、紫外線センサ部が測定した紫外線情報を外部に送信する。そしてさらに具体的な特徴によれば、外部に送信した情報に基づくフィードバック情報を外部から受信する。
【００１０】
本発明の他の特徴によれば、紫外線情報を測定する紫外線センサ部と、紫外線情報の日変化を保持する日変化情報保持部と、紫外線センサ部および日変化情報保持部からの情報を処理する制御部と、制御部が提供する紫外線情報および測定時刻以外の推定紫外線情報を表示する表示部とを有する紫外線測定装置が提供される。これによって、測定時刻における紫外線情報に加え、今までに被爆した紫外線の情報または今後被爆する紫外線の情報を知ることができる。上記本発明の具体的な特徴によれば、制御部は、紫外線センサ部からの紫外線情報と、紫外線センサ部が測定を行った時刻の情報と日変化情報とに基づき、測定時刻以外の紫外線情報を推定する。
【００１１】
上記本発明の他の具体的な特徴によれば、表示部は、測定時刻以外の紫外線情報は日変化グラフとして表示する。これによってその日一日に関する紫外線の様子を知ることができる。さらに具体的な特徴によれば、表示部は、日変化グラフ中で紫外線センサ部からの紫外線情報を明示する。これによって現時点までに被爆した紫外線の情報および今後被爆する紫外線の情報を明確に把握することができる。
【００１２】
上記本発明のさらに他の具体的な特徴によれば、制御部は、紫外線センサ部からの紫外線情報および紫外線センサ部が測定を行った時刻における日変化情報の比較に基づいていで日変化グラフ全体を補正する。これによって日変化情報の傾向を実際に測定した紫外線情報に適合させることができる。
【００１３】
上記本発明のさらに他の具体的な特徴によれば、外部情報を受信する通信部を有し、日変化情報保持部は通信部により日変化情報を受信して保持する。これによって、その年のその季節の傾向を反映した最新の日変化情報を取得することができる。
【００１４】
上記本発明のより具体的な特徴によれば、制御部は、通信部により受信した外部からの日変化情報を位置情報に基づいて補正する。これによって、受信した日変化傾向情報を紫外線測定装置が存在する実際の位置に適合したものに補正できる。他のより具体的な特徴によれば、制御部は、通信部により受信した外部からの日変化情報を天気情報に基づいて補正する。これによって、受信した日変化傾向情報を紫外線測定装置が存在する実際の位置での天気に適合したものに補正できる。
【００１５】
本発明の他の特徴によれば、紫外線情報を測定する紫外線センサ部と、紫外線情報の日変化を保持する日変化情報保持部と、表示部と、日変化情報保持部からの紫外線情報を日変化グラフとして表示部に表示させるとともに紫外線センサ部からの紫外線情報を日変化グラフ上で表示させる制御部とを有する紫外線測定装置が提供される。これによって、測定情報を日変化グラフの時間の流れの中で把握することができる。上記本発明の具体的な特徴によれば、制御部は、時刻軸上に示される日変化グラフ上において、紫外線センサ部からの紫外線情報を紫外線情報取得時刻に対応する時刻位置に表示させる。
【００１６】
本発明の他の特徴によれば、外部から紫外線情報を受信する通信部と、紫外線に影響する補助情報を保持する補助情報保持部と、補助情報に基づいて紫外線情報を補正する制御部と、制御部が補正した紫外線情報を表示する表示部とを有する紫外線測定装置が提供される。これによって受信した紫外線情報を補助情報によりきめ細かく補正した形で表示することができる。
【００１７】
上記本発明の具体的な特徴によれば、紫外線に影響する補助情報は位置情報であり、受信した紫外線情報の地理上のずれを補正することができる。上記本発明の他の具体的な特徴によれば、紫外線に影響する補助情報は天気情報であり、受信した紫外線情報を現地の天気に合わせて補正することができる。
【発明の効果】
【００１８】
上記のように本発明によれば、日常生活で活用しやすい情報を取得できる紫外線測定装置が提供される。
【図面の簡単な説明】
【００１９】
【図１】本発明の実施例１における外観図である。（実施例１）
【図２】実施例１の構成要素の詳細を示すブロック図である。
【図３】図２の実施例１におけるコンパクト制御部の機能を示すフローチャートである。
【図４】図３のステップＳ６およびステップＳ２４の詳細を示すフローチャートである。
【図５】図３のステップＳ２０の詳細を示すフローチャートである。
【図６】図５のステップＳ９６の詳細を示すフローチャートである。
【図７】本発明の実施例２における外観図である（実施例２）
【図８】本発明の実施例３におけるコンパクト制御部の機能のうち測定処理に関するフローチャートである。（実施例３）
【図９】本発明の実施例４における上面図である。（実施例４）
【図１０】本発明の実施例５における上面図である。（実施例５）
【発明を実施するための形態】
【実施例１】
【００２０】
図１は、本発明の実施の形態に係る紫外線測定装置の実施例１における外観図である。実施例１は化粧用コンパクト１として構成され、化粧品容器２、４を収納するコンパクト本体６と、これに対し折りたたみ可能に構成されたミラー部８を有する。ミラー部８には、ミラー兼用反射型液晶（ＬＣＤ）１０が設けられており、紫外線情報が表示されるとともに、表示が行われないときはミラーとして機能する。
【００２１】
ミラー兼用反射型液晶１０は鏡面基板の上に反射型液晶構造が形成されてなるものであり、反射型液晶構造は、無表示状では無色透明となって、鏡面基板がミラーとして機能する。また表示は主に二値の線画であり、表示状態では、ミラーの鏡像に線像が重畳された形となる。線画は基本的にはモノクロでよく、特に文字表示部１２は白黒表示でよい。紫外線の日変化を表示するグラフ部１４についてもモノクロでよいが、紫外線強度を表すために例えば緑から紫に段階的に遷移するカラー表示とすることも可能である。この場合も、可変のフルカラーの構成をとる必要はなく、グラフの紫外線強度領域毎に予め色を決めた簡易カラー表示でよい。
【００２２】
ミラー部８の頂点には、ＵＶ−Ａの測光を担当する第１紫外線センサ部１６、およびＵＶ−Ｂの測光を担当する第２紫外線センサ部１８が配置されている。ミラー兼用反射型液晶１０は、第１紫外線センサ部１６および第２紫外線センサ部１８による測定等に基づいて、文字表示部１２にＵＶインデックス、ＵＶ−Ａの測定結果、およびＵＶ−Ｂの測定結果を表示するとともに、グラフ部１４に紫外線の日変化予想グラフ等を表示する。具体的に述べると、グラフ部１４には、ＵＶインデックスの日変化予測グラフ２０および測定時点におけるＵＶインデックスの棒グラフ２２が表示される。このような表示により、棒グラフ２２が測定時点現在の紫外線強度、その左側においてのグラフ２０で囲まれる部分がその日に既に被爆した紫外線の積分値、右側においてグラフ２０で囲まれる部分がその日のうちにこれから被爆する紫外線の積分値のイメージとなる。
【００２３】
後述するように、実施例１は、ＺｉｇＢｅｅ（商標）などの簡易型近距離通信手段によって化粧用コンパクト１所有者の携帯電話と通信可能となっており、携帯電話が受信する天気予報、紫外線情報、ＧＰＳ情報など転送を受けることができる。ＵＶインデックスの日変化予測グラフ２０は、第１紫外線センサ部１６および第２紫外線センサ部１８による測定値および測定時刻に基づいて作成可能であるが、上記のようにして携帯電話から転送される種々の情報を動員することでより適切な予測が可能となる。詳細については後述する。
【００２４】
コンパクト本体６には、ミラー部８を折りたたんだ時に第１紫外線センサ部１６および第２紫外線センサ部１８をそれぞれ収納することによって保護する凹部２４、２６が設けられている。ミラー部８を開くには押しボタンなどからなる操作部２８を操作する。コンパクト本体６には内部太陽電池３０が設けられており、化粧用コンパクト１を開いた時に太陽光などの外光を受けて化粧用コンパクト１に電力を供給する。太陽電池３０は、化粧用コンパクト１におけるミラー部８の近傍に配置されているので、直射光だけでなくミラー部８を反射した光も効率よく入射し、受光効率が高まる。なお、図１には現れていないが、ミラー部８の背面には外部太陽電池が設けられており、ミラー部８が折りたたまれている時でも必要に応じ電力を供給する。実施例１はさらに、これらの太陽電池の電力を蓄えるための二次電池を有するとともに、最低限の電力を供給するためのバックアップ電池を備えている。詳細は後述する。
【００２５】
実施例１は、化粧用コンパクトとしての通常の操作以外は必要ないように構成されており、操作部２８を操作してミラー部８を開いた時に自動的に紫外線測定が行われ、結果がミラー兼用反射型液晶１０に表示される。また、この表示は所定時間（例えば５秒）経過すると自動的に消える。従って、紫外線情報を得るのに格別の操作を必要とせず、化粧用コンパクト１を開くだけで情報が現れるので、情報が日常生活に溶け込みやすい。また、表示は短時間で自動的に消えるので、本来の化粧用コンパクトとしての使用を意図している場合にミラーに煩わしい表示が残ることもない。なお、紫外線情報に関心があるのに、短時間で情報が消えることに対しては、操作部２８を再度操作することで、再度表示を行わせることができる。また、この場合は意識的に表示を行わせているので、再度操作部２８を操作して消さない限り、表示が勝手に消えてしまうことはない。以上のようにして、実施例１の紫外線測定装置は使用説明書などを見なくても、自然に利用することができる。詳細については後述する。
【００２６】
ここで、第１紫外線センサ部１６、第２紫外線センサ部１８、ミラー兼用反射型液晶１０および内部太陽電池３０の配置と向きの関係についてまとめると、ミラー部８を開いた状態において第１紫外線センサ部１６、第２紫外線センサ部１８、および内部太陽電池３０がほぼ同一方向を向くのに対し、ミラー兼用反射型液晶１０はこれらと異なった方向を向く。具体的には、ミラー部８を開き、使用者がミラー兼用反射型液晶１０に自分の顔を映して見ている状態において、第１紫外線センサ部１６、第２紫外線センサ部１８、および内部太陽電池３０は天を向き、全天からの入射光を受光する状態となるとともに、ミラー兼用反射型液晶１０は使用者の顔を向くので、使用者が表示を観察するのに好適な状態となる。このようにして、化粧用コンパクト１を自然に使用する状態において紫外線測定と測定結果の表示観察が容易となる。
【００２７】
図２は、実施例１の構成要素の詳細を示すブロック図であり、図１と共通の部分については同一の番号を付すとともに必要がない限り説明は省略する。図２に示すように、第１紫外線センサ部１６は、ＵＶ−Ａセンサ３２およびガラスの球状カバー３４を持つ。ＵＶ−Ａセンサ３０は、４００ｎｍ近辺より短い波長域において高感度を持つＺｎＯ系の光電変換素子である。一方、球状カバー３４はガラスなのでＵＶ−Ｂ領域の波長は透過せず、この結果、第１紫外線センサ部１６はＵＶ−Ａ領域を選択的に測定するセンサとなる。これに対し、第２紫外線センサ部１８は、ＵＶ−Ｂセンサ３６および石英の球状カバー３８を持つ。ＵＶ−Ｂセンサ３６は、３２０ｎｍ近辺より短い波長域において高感度を持つＺｎＯ系の光電変換素子である。球状カバー３８は石英なのでＵＶ−Ｂ領域の波長をよく透過する。また、通常、地表にはＵＶ−Ｃは到達していないので、第２紫外線センサ部１６はＵＶ−Ｂ領域を選択的に測定するセンサとなる。なお、上記において球状カバー３４に用いられるガラスは例えばソーダガラスなど通常のガラスである。またＵＶ−Ｂ領域の波長を透過させないためのカバーとしては、樹脂カバーなども採用可能である。
【００２８】
なお、上記のような構成に代え、球状カバー３４にも石英を用いてＵＶ−Ａセンサ３２にＵＶ−Ａ領域およびＵＶ−Ｂ領域を測定させるようにし、ＵＶ−Ａセンサ３２の出力からＵＶ−Ｂセンサ３６の出力を減算することによりＵＶ−Ａの測定値を得るようにしてもよい。上記のＵＶ−Ａセンサ３２およびＵＶ−Ｂセンサ３６にそれぞれ採用したＺｎＯ系の光電変換素子は、例えばＭｇＺｎＯよりなるもので、ＭｎとＺｎの比率を変化させることにより感度領域を変化させることができる。このようなＺｎＯ系の光電変換素子については、同一出願人による特願２００９−０１８００９に詳述されている。
【００２９】
化粧用コンパクト1は、コンパクト本体６に設けられるコンパクト制御部４０によって制御されている。ＵＶ−Ａセンサ３２とＵＶ−Ｂセンサ３６による測定結果はコンパクト制御部４０に入力され所定の処理に基づいて表示用のデータとされ、ミラー部８に設けられたＬＥＤドライバ４２に送られる。ＬＥＤドライブ４２は送られたデータに基づいてミラー兼用反射型ＬＥＤ１０を制御し、ＵＶインデックスに関する文字情報やグラフ情報を用事させる。また、コンパクト制御部４０の処理結果は必要に応じ不揮発記憶部４４に記憶される。
【００３０】
開閉検知部４６は、ミラー部８が開いているかまたはコンパクト本体６上に折りたたまれているかを検知し、コンパクト制御部４０に通知する。この通知の意義は後述する。電源部４８は内側太陽電池３０によって充電される二次電池５０を有し、化粧用コンパクト１の各部に必要な電圧を供給する。電源部４８はさらにバックアップ電池５２を有し、二次電池５０が消尽された場合にコンパクト制御部４０等に最低限の機能のための電力を供給する。二次電池５０は、さらにミラー部８の背面に設けられた外部太陽電池５４からも充電可能となっている。内側太陽電池３０および外側太陽電池５４の受光状況はコンパクト制御部４０にも制御情報として伝えられる。その詳細は後述する。
【００３１】
既に述べたように、化粧用コンパクト１は、ＺｉｇＢｅｅ（商標）などの簡易型近距離通信手段によって化粧用コンパクト１所有者の携帯電話５８と通信可能である。具体的には、化粧用コンパクト１の近距離通信部５６は、携帯電話５８の近距離通信部６０との近距離通信により、携帯電話５８が携帯電話受信部６２によって外部サーバから自動受信し、記憶部６４に記憶している天気予報、紫外線情報、ＧＰＳ情報などの転送を受けることができる。携帯電話５８全体は携帯電話制御６６によって制御されており、携帯電話機能部６８は携帯電話制御６６の制御に基づき、携帯電話送受信部６２による無線電話回線を通じた通話やデータの送受信などを行う。
【００３２】
図３は、図２の実施例１におけるコンパクト制御部４０の機能を示すフローチャートである。フローはコンパクトがバッグの中などの暗所から取り出されて外部太陽電池５４の出力が増加するか、または使用者がコンパクトを開く操作を行うことにより、スタートする。フローがスタートすると、まずステップＳ２でコンパクトが開状態にあるかどうかがチェックされる。このチェックは図２の開閉検知部４６からの情報により可能である。コンパクトが開状態でないときは、コンパクトが明るいところに取り出されてフローがスタートしたものと考えられるので、ステップＳ４に進み、外部体調電池５４の出力が所定以上かどうかチェックする。
【００３３】
ステップＳ４で外部太陽電池５４の出力が所定以上であると判断されたときは、ステップＳ６のＵＶ情報交信処理に進み、その後ステップＳ８に移行する。ステップＳ６のＵＶ情報交信処理は、携帯電話５８との近距離通信により携帯電話が自動受信している外部サーバからの紫外線情報などの転送を受けることを主な内容とするものであり、外界が充分明るくて外部太陽電池の給電により化粧用コンパクト１が駆動可能な状態において、化粧用コンパクト１が開かれる前に、紫外線測定に備えて最新の必要情報を得ておく意義がある。ＵＶ情報交信処理の詳細は後述する。一方、ステップＳ４で外側太陽電池出力が所定以上であることが検知されない場合は、ＵＶ情報交信処理への給電が保証できないので直接ステップＳ８に移行する。
【００３４】
ステップＳ８では、操作部２８の操作が行われたかどうかをチェックする。そして、操作が検出されれば、ステップＳ１０において操作時の化粧用コンパクト１が閉状態であったかどうかをチェックする。これは、後述のように化粧用コンパクト１が既に開かれている状態において操作部２８を操作して紫外線測定を行う場合があり、このような場合を操作部２８の操作でコンパクト１を開く場合と区別するためである。ステップＳ１０で操作部２８を操作した時点で化粧用コンパクト１が閉じられていたことが検知された場合は、操作部２８が化粧用コンパクト１を開くために操作されたことを意味するからステップＳ１２に進み、タイマをオンするとともにタイムカウントをスタートさせステップＳ１４に移行する。このタイマのタイムアップまでの時間は例えば５秒程度である。なお、ステップＳ８で操作部の操作が検出されない場合は後述のステップＳ３２におけるコンパクト閉状態チェックを経ながら、化粧用コンパクト１が開かれている限りステップＳ８を繰り返して操作部の操作を待つ。
【００３５】
一方、ステップＳ２でコンパクトが開状態であることが検知されたときは、使用者がコンパクトを開く操作を行うことによりフローがスタートしたものと考えられるので、直接ステップＳ１２に移行する。これは、ステップＳ６のようなＵＶ情報交信処理により紫外線測定の実行が遅延するのを避けるためである。つまり、化粧用コンパクト１を開くと同時に自動的に紫外線を測定し、自動的にその結果を表示することを優先する。
【００３６】
なお、ステップＳ１０で操作部２８を操作した時点で化粧用コンパクト１が閉じられていたことが検知されない場合は、上記のように、化粧用コンパクト１が既に開かれている状態において操作部２８を操作して紫外線測定を行ったものと考えられるのでステップＳ１６に進み、タイマをオフしてステップＳ１４に移行する。タイマのオンオフの意義については後述する。
【００３７】
ステップＳ１４では、化粧用コンパクト１が開かれることによって外光を受けようになった内部太陽電池３０の出力が所定以上かどうかチェックする。そして、出力が所定以上あれば、測定に有意な紫外線が存在する環境と推測されるのでステップＳ１８に進み、ＵＶ−Ａセンサ３２およびＵＶ−Ｂセンサ３６による個別の測定をそれぞれ行う。そして、測定結果に基づき、ステップＳ２０でＵＶ演算処理を行う。その詳細は後述する。
【００３８】
ステップＳ２０によりＵＶ演算が終わるとステップＳ２２に進み、演算結果に基づく紫外線情報の表示をオンまたは既にオンされている場合は演算結果に基づく表示の更新指示を行う。次いでステップＳ２４のＵＶ情報交信処理に入る。Ｓ２４のＵＶ情報交信処理はステップＳ６のそれと同じものであるが、ステップＳ１８からステップＳ２２における速やかな測定と結果表示を優先し、ステップＳ２４による最新情報の入手はその後に行う。つまり、ＵＶ情報交信処理によって得られる情報はステップＳ２０のＵＶ演算処理に必要なものであるが、ステップＳ２０の時点では、それまでに受信されて不揮発記憶部４４に記憶済みの最新の情報に基づいて行うことになる。このとき、ステップＳ６が実行されていれば、ステップＳ２０は最新の外部情報による演算となる。なお、ステップＳ２４を置いているのは、ステップＳ６が実行されずにステップＳ１２に至る場合に対応し、測定後速やかに最新情報を入手して次の測定に備えるためである。
【００３９】
ステップＳ２４の情報交信処理が完了するとステップＳ２６に進み、ステップＳ１２でスタートしたカウントがタイムアップしたかどうかチェックする。そしてまだタイムアップしていなければステップＳ２８に進み操作部２８が操作されたかどうかチェックする。ＵＶ表示がオンになっている状態における操作部２８の操作は、表示をオフする操作と認識される。従って、ステップＳ２８で操作部の操作が検出されればステップＳ３０に移行しＵＶ表示をオフする。また、ステップＳ２６においてタイマによるカウントがタイムアップになった場合もステップＳ３０に進み、ＵＶ表示をオフする。
【００４０】
以上のようにして、化粧用コンパクト１が開かれたことによって紫外線測定が自動的に開始され、測定結果が表示されたときは、タイマが自動的にオンとなり、そのタイムアップでステップＳ２６が機能して自動的に表示がオフになる。これによって、格別の操作を行わなくても化粧用コンパクト１のミラー部分に紫外線情報が現れるのでこれを参考にすることができ、かつ表示は例えば５秒程度の短時間で消えるので紫外線情報に関心がない場合でも煩わしいことはない。一方、既に化粧用コンパクト１が開いている時に操作部２８を操作した場合は意図して手動測定を行ったことを意味するからタイマはオンしない。従ってステップＳ２６によって表示が勝手にオフになることはなく、意識的に操作部２８を操作することでステップＳ２８が機能して表示がオフになる。
【００４１】
一方、ステップＳ２８で操作部の操作が検出されない時は、ステップＳ２９に移行し、ここで所定時間の経過が検知されない限りはステップＳ１８に戻り、ＵＶ−ＡおよびＵＶ−Ｂの測定が再度行われる。以下、ステップＳ２９での所定時間経過が検知されない状態において、ステップＳ２６でカウントのタイムアップが検知されるかステップＳ２８で操作部の操作が検知されない限りステップＳ１８からステップＳ２９が繰り返され、ＵＶ−ＡおよびＵＶ−Ｂの測定および測定結果に基づくＵＶ表示の更新が行われる。この間、測定値に変化がなければ、見かけ上同じ表示が継続して行われているように見える。
【００４２】
なおステップＳ２９においてチェックされる所定時間は例えば１５秒程度であって、ステップＳ１２でスタートされるタイマ時間（５秒程度）とは異なる性質のものであり、通常のオートパワーオフで設定される程度のものである。ＵＶ表示は操作部２８を操作すればいつでも消えるが、ステップＳ２９は表示をオフする操作を知らない使用者のために、念のため設けているものである。つまり、何も操作しないで所定時間が経過すればステップＳ２９からステップＳ３０に移行してＵＶ表示がオフになる。このようにステップＳ１２のタイマ時間とステップＳ２９の所定時間を比較することによって、ステップＳ１２のタイマが通常のオートパワーオフとは異なる発想（つまり使用者の当初の関心にかかわらず、紫外線が有意の強度にあるときは自動的に測定して結果を注目されているミラー面に表示し、しかも使用者に関心がない場合に配慮して邪魔にならないよう速やかにミラー面から消すという発想）によって設定されていることがより明らかに理解できる。
【００４３】
ステップＳ３０でＵＶ表示がオフになるとステップＳ３２に進み、化粧用コンパクトが閉状態であるかどうかをチェックする。そして閉様態が検出されれば直ちにフローを終了する。一方、閉状態でなければ、化粧用コンパクト１の使用が続いていると考えられるのでステップＳ８に戻り、ステップＳ３２で化粧用コンパクト１が閉じられたことが検出されない限りステップＳ８を繰り返して操作部２８の操作を待つ。そして操作があればステップＳ１０以下に移行するが、この場合は、既に述べたように意識的な紫外線測定操作となる。なお、化粧用コンパクト１が開いている時の操作部２８の操作は、当初紫外線情報に関心がないところ化粧用コンパクト１を開くことで関心をもったが短時間で紫外線情報表示が消えてしまった場合、これを再表示させる操作でもある。そしてその操作は化粧用コンパクトを開くのと同様の操作部２８の操作であり、それに応答する紫外線測定表示も同じなので、取り扱い説明書等での教示を受けるまでもなく直ちに機能を理解できる。
【００４４】
なお、ステップＳ１４で内側太陽電池３０の出力が所定以上であることが検知できなかった場合は、ＵＶ測定等のための給電が保証できないので直接ステップＳ３４に移行する。また内側太陽電池３０の出力が所定以上ないということは、紫外線も有意の強度にないことを意味しているので、測定を行わないことは実態に即している。ステップＳ３４ではステップＳ１６でのタイマオフ設定が行われたかどうかをチェックし、該当すればステップＳ３６に進んで、「紫外線弱く測定する必要がない」旨のメッセージ表示を所定時間（例えば５秒）行ってステップＳ３２に移行する。ステップＳ１６でタイマオフになる状態は化粧用コンパクト１を開いている状態において意識的に紫外線測定のために操作部２８を操作した状態に該当するので、ステップＳ３６のようなメッセージ表示を行って操作に応答することにより、使用者が故障と誤認するのを防止する。
【００４５】
一方、ステップＳ３４でタイマオフでなければ操作部２８の操作で化粧用コンパクト１を開いた場合に相当するので、紫外線測定への関心が確認できない使用者に配慮し、測定の必要もない状況なので何もメッセージを出さずに直接ステップＳ３２に移行する。この状態は、室内で化粧用コンパクト１を開いた場合などに相当するが、上記の構成により、ミラー兼用反射型ＬＣＤには何も表示されず通常の化粧品コンパクトのミラーと何ら変わらない使い勝手となるので、違和感もない。
【００４６】
図４は、図３のステップＳ６およびステップＳ２４のＵＶ情報交信処理の詳細を示すフローチャートである。フローがスタートするとステップＳ４２で携帯電話との近距離通信が確立済みかどうかチェックし、未確立ならステップＳ４４で登録済の携帯電話に対する近距離通信のアクセスを行う。登録済の携帯電話とは通常、化粧品用コンパクト１の所有者の携帯電話５８である。そしてステップＳ４６で交信が確立したかどうかチェックし、確認が出来ればステップＳ４８に移行する。一方ステップＳ４２で交信確立済であることが検知されると直接ステップＳ４８に移行する。
【００４７】
ステップＳ４８では、携帯電話に新着のＵＶ情報が自動受信され、記憶部６４に記憶されているかどうかチェックする。そして新着情報があればステップＳ５０に進み、近距離通信にてまずＧＰＳ情報を受信して不揮発記憶部４４に記憶する。以前の記憶があればこれを上書きして更新する。ＧＰＳ情報は緯度経度だけでなく高度情報も紫外線情報の補正情報として重要である。次いで、ステップＳ５２で日時情報を受信し、不揮発記憶部４４に記憶または更新する。日付は紫外線強度に影響する季節情報として必要であり、時刻は測定時刻の情報として必要なものである。また、ステップＳ５６では、前日のオゾン全量データを受信し、不揮発記憶部４４に記憶または更新する。この情報はＵＶ−Ｂに関するＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ；国際照明委員会）紫外線強度の値を計算するのに必要なものである。
【００４８】
さらに、ステップＳ５８では、気象庁の紫外線情報を受信し、不揮発記憶部４４に記憶または更新する。また、ステップＳ６０では、国立環境研究所の紫外線情報を受信し、不揮発記憶部４４に記憶または更新してステップＳ６２に移行する。これらの紫外線情報提供機関は、各地の観測に基づいてＵＶインデックス速報値を一時間毎に提供しているほか、紫外線に関する種々の統計データを提供している。従ってこれらのデータをＧＰＳ情報に基づいて使用者のいる位置の情報に換算するだけでも紫外線情報の把握が可能である。そして、これらの情報を実測値に加味することにより、より妥当な紫外線情報を得ることができる。また統計情報に基づき使用者がいる地域におけるその季節の日変化傾向も把握することができるので、ＵＶインデックスの日変化の推測情報として活用できる。なお、ステップＳ４８において携帯電話に新着情報がなかったときは、これらの情報の最新値は既に不揮発記憶部４４に入手済みであるので、直接ステップＳ６２に移行する。
【００４９】
化粧用コンパクト１と携帯電話５８の近距離通信は一方通行のものではなく、化粧用コンパクト１側の測定情報を携帯電話５８側に送信することも可能である。送信した情報は、携帯電話５８で統計処理する他、携帯電話送受信部６２から無線電話回線を通じてサーバに転送することにより、化粧用コンパクト１をサーバにおける測定地点に位置づけることも可能である。この場合は、サーバが処理した統計情報のフィードバックを携帯電話５８を介して受けることも可能となる。
【００５０】
ステップＳ６２は、このような化粧用コンパクト１側から携帯電話５８側への測定情報の送信を前提としたときに未送信の測定情報があるかどうかチェックするものである。そして、未送信情報があればステップＳ６４でその「未送信の測定情報を携帯電話５８に送信する。さらに、ステップＳ６６で、送信に基づいて携帯電話５８が蓄積した測定情報の最新統計情報の受信することによりフィードバックをうけ、フローを終了する。なお、ステップＳ４６で近距離通信の交信が確定できなかったとは直ちにフローを終了する。また、ステップＳ６２において未送信の測定情報がないときも直ちにフローを終了する。
【００５１】
図５は、図３のステップＳ２０におけるＵＶ演算処理の詳細を示すフローチャートである。フローがスタートすると、ステップＳ７２で最新の紫外線情報を不揮発記憶部４４から読み出す。そしてステップＳ７４で、その地点のその季節における最も妥当な日変化予想グラフデータを暫定的に一つ選択する。そしてステップＳ７６においてＧＰＳデータに基づき、上記暫定グラフデータを補正する。例えば、化粧用コンパクト1の使用者が現在大阪府・豊中市にいるとして、暫定グラフデータが最も近い京都府・京都市のものであったとすると、大阪府・豊中市を挟む最も近い反対側の岡山県・岡山市のデータと三地点のＧＰＳデータにより、大阪府・豊中市のデータに補正する。
【００５２】
さらに、ステップＳ７８では、天気情報および天気予報情報に基づきグラフデータを補正する。天気の実績情報および予報情報は紫外線情報に比べきめ細かく入手できるので、紫外線情報が得られている京都府・京都市と岡山県・岡山市の天気データと大阪府・豊中市の天気データを比較し、紫外線測定時点における測定地点の天気と大阪府・豊中市の天気の実態に応じてグラフデータに補正する。そして以上の補正を経てステップＳ８０に移行する。
【００５３】
ステップＳ８０では、受信データモードであるかどうかのチェックが行われる。受信データモードとは、ステップＳ７２からステップＳ７８の情報だけでも図１のミラー兼用反射型液晶１０に示した文字表示部１２およびグラフ部１４の表示はそれなりに可能であることから、測定を行わずに受信データだけから紫外線情報を表示するモードである。ステップＳ８０で受信データモードでないことが検知されるとステップＳ８２以下に進む。
【００５４】
ステップＳ８２では、最新のＵＶ−Ａ測定値を不揮発記憶部４４から読出し、ステップＳ８４で太陽電池出力補正をかける。通常、第１紫外線センサ部１６、第２紫外線センサ部１８は空を向いているので、測定される可能性のある紫外線は太陽からの直射光および太陽以外の空からの散乱光である。空からの紫外線総量のうち散乱光はその６割を占めると言われているが、やはり第１紫外線センサ部１６、第２紫外線センサ部１８に直射光が入るかどうかで測定値は大きく異なってくる。一方、可視光では散乱光が占める割合は１〜２割程度と言われているので、太陽光スペクトルのピーク（５５０ｎｍ）のエネルギーを効率的に受けようとしている太陽電池の出力は、直射光が入っているかどうかで格段に異なり、直射光がある天候において直射光が入っているときの出力レベルもわかっている。第１紫外線センサ部１６および第２紫外線センサ部１８と内側太陽電池３０は同じ方向を向いているので、上記の事情により、内側太陽電池３０の出力レベルにより、第１紫外線センサ部１６および第２紫外線センサ部１８に直射光が入っているかどうかが判定できる。ステップＳ８４は、これを利用し、第１紫外線センサ部１６および第２紫外線センサ部１８に直射光が入っているか否かに依存しない測定値が得られるように補正をかけるものである。
【００５５】
ステップＳ８６は、太陽電池出力補正をかけたＵＶ−Ａセンサ３２の測定値に基づき、ＵＶ−ＡについてのＣＩＥ紫外線強度を求めるものである。ＣＩＥ紫外線強度の算出のためには、ＵＶ−Ａセンサ３２の測定値のほか、測定地点の緯度、軽度および測定時刻から求められる太陽光が透過してきた大気の厚さの情報が用いられる。この情報として、図４のステップＳ５０で受信したＧＰＳ情報をきめ細かく活用してもよい。一方、簡易的にはモデル的な大気の厚さを一律に採用してもよい。
【００５６】
次いでステップＳ８８では、最新のＵＶ−Ｂ測定値を不揮発記憶部４４から読出し、ステップＳ９０で太陽電池出力補正をかける。その趣旨はステップＳ８４と同様である。さらにステップＳ９２では前日の全オゾン量のデータを不揮発記憶部４４から読み出す。全オゾン量のデータは、ＵＶ−Ｂの吸収に大きな影響のある要素である。この後、ステップＳ９４では太陽電池出力補正を掛けたＵＶ−Ｂセンサ３２の測定値と前日の全オゾン量のデータおよび大気の厚さに基づき、ＵＶ−ＢについてのＣＩＥ紫外線強度を求める。ステップＳ８６と同様にして大気の厚さは測定地点の緯度、軽度および測定時刻から求めるが、簡易的にはモデル的な大気の厚さの値を採用してもよい。また、前日の全オゾン量のデータについても簡易的にはモデル的な値を一律に採用してもよい。
【００５７】
以上のようにしてＵＶ−ＡおよびＵＶ−ＢについてのＣＩＥ紫外線強度が求まるとステップＳ９６におけるＣＩＥ紫外線強度算出処理に入る。この処理の趣旨は、ＵＶ−ＡおよびＵＶ−ＢについてのＣＩＥ紫外線強度の総和としのＣＩＥ紫外線強度を算出するものであるが、その他の処理も含まれるので詳細は後述する。次いで、ステップＳ９８でＣＩＥ紫外線強度をＵＶインデックスに換算する。ＣＩＥ紫外線強度の単位がＷ／平方メートルの場合は、４０を掛けるとＵＶインデックスになる。
【００５８】
次いでステップＳ１００ではステップＳ９８で求めた測定に基づくＵＶインデックスデータに対応する時刻のグラフデータが一致するよう、グラフデータ全体を伸縮させて補正する。そしてステップＳ１０２でＵＶインデックス、ＵＶ−ＡおよびＵＶ−Ｂ個別のＣＩＥ紫外線強度の値、およびＵＶインデックス棒グラフの表示データを出力する。さらにステップＳ１０４で日変化予想グラフ表示データを出力してフローを終了する。なお、ステップＳ８０で受信データモードであった場合は直ちにステップＳ１０４に進んで受信データに基づく日変化予想グラフ表示データを出力し、フローを終了する。
【００５９】
図６は、図５のステップＳ９６におけるＣＩＥ紫外線強度算出処理の詳細を示すフローチャートである。フローがスタートすると、ステップＳ１２２でＵＶ−Ｂに関する紫外線強度が所定以下であるかどうかチェックする。該当しなければステップＳ１１４でＵＶ−Ａ紫外線強度のＵＶ−Ａ紫外線強度に対する比が所定以下であるかどうかチェックする。ステップＳ１１２およびステップＳ１１４はいずれもＵＶ−Ｂ紫外線強度が自然状態にくらべ異常に低いことを検知するものであるがこれらいずれにも該当しないときはステップＳ１１６に移行し、戸外で測定が行われているものと判定してステップＳ１１８に移行する。ステップＳ１１８では、ＵＶ−Ａ紫外線強度とＵＶ―Ｂ紫外線強度を合算し、ＣＩＥ紫外線強度を算出する。このようにしてＣＩＥ紫外線強度が算出できればフローを終了する。
【００６０】
一方、ステップＳ１１２またはステップＳ１４に該当するときはステップＳ１２０に移行し、窓際の室内、電車や車の中などにおけるガラス越しの測定であると認定する。ＵＶ−Ｂはガラスを透過しないのに対し、ＵＶ−Ａはガラスを透過できるので、ガラス越しの測定では、戸外の自然状態にくらべＵＶ−Ｂが僅少となる。ステップＳ１２０でガラス越しの測定であると判断されるとステップＳ１２２に進み、戸外補正モードに設定されているかどうかチェックする。この設定がなければステップＳ１１８に進み、補正なしで測定に基づくありのままのＵＶ−Ａ紫外線強度とＵＶ―Ｂ紫外線強度を合算し、ＣＩＥ紫外線強度を算出する。但し、この場合はステップＳ１２０で判定されたガラス越し測定の旨の情報も提供される。
【００６１】
一方、ステップＳ１２２で戸外補正モードへの設定が検知されるとステップＳ１２４に進み、測定されたＵＶ−Ａ紫外線強度を平均的なガラスによる減衰比で割り、戸外での推定測定値を算出する。さらにステップＳ１２４では、これに平均的なＣＩＥ紫外線強度のＵＶ−Ａ紫外線強度に対する比を掛け算する。このようにガラス越しの測定であることが判明し、かつ戸外補正モードが設定されていたときは、もはや有意な値を持たないＵＶ−Ｂの測定値を採用せず、ステップＳ１１８のような合算に代え、ステップＳ１２４およびステップＳ１２６におけるように、ＵＶ−Ａ紫外線強度からのより合理的な推定手順により戸外におけるＣＩＥ紫外線強度を求めるようにする。
【実施例２】
【００６２】
図７は、本発明の実施の形態に係る紫外線測定装置の実施例２における外観図である。実施例２も化粧用コンパクト１０１として構成されるが、実施例１と共通する部分が多いので、各構成要素には１００番台の番号を付与し、図１の第実施例１と対応する部分については、１の位と１０の位の数字を共通とした。従ってこの番号付与のルールだけで理解できる部分については説明を省略する。図７の実施例２が図１の実施例１と異なるのは、ミラー１１０が通常のミラーであり、文字表示部１１２グラフ部１１４を有する反射型液晶１１１が専用の表示部としてミラー部１０８に設けられていることである。また、第１紫外線センサ部１１６、第２紫外線センサ部１１８がミラー部１０８ではなくコンパクト本体１０６に設けられている。
【００６３】
しかしながら、図７から明らかなように、ミラー部１０８を開いた状態において第１紫外線センサ部１１６、第２紫外線センサ部１１８、および内部太陽電池１３０がほぼ同一方向を向くのに対し、反射型液晶１１１がこれらと異なった方向を向くことについては、図１の実施例１と共通である。具体的には、ミラー部１０８を開き、使用者がミラー１１０に自分の顔を映して見ている状態において、第１紫外線センサ部１１６、第２紫外線センサ部１１８、および内部太陽電池１３０は天を向き、全天からの入射光を受光する状態となるとともに、反射型液晶１１１は使用者の顔を向くので、使用者が表示を観察するのに好適な状態となる。
【００６４】
さらに、図７の実施例２では、第１紫外線センサ部１１６、第２紫外線センサ部１１８に並べて可視光センサ１１９がコンパクト本体１０６に設けられている。この可視光センサ１１９は、実施例１において内側太陽電池出力３０が担っていた可視光情報取得の機能を専用素子として担当するものであり、その出力はコンパクト制御部に入力される。実施例２の機能については、図３から図６のフローチャートが援用可能であるが、上記の可視光センサ１１９の採用に伴い、図３のステップＳ１４の「内部太陽電池出力」および図５のステップＳ８４およびステップＳ９０における「太陽電池出力」はそれぞれ「可視光出力」と読み替えて理解するものとする。
【実施例３】
【００６５】
図７は、本発明の実施の形態に係る紫外線測定装置の実施例３の機能の一部を示すフローチャートである。実施例３も化粧用コンパクトとして構成されるが、図８は、そのコンパクト制御部の機能のうち測定処理に関するものである。実施例３は、実施例１および実施例２と共通する部分が多く、構成的には図１図２、または図７が援用されるが、測定の手順が異なる。具体的には、実施例１および実施例２では、太陽からの直射光が入るかどうかによって紫外線の測定値が異なってくる対策として図５のステップＳ８４またはステップＳ９０におけるような太陽電池出力補正を行っているのに対し、実施例３では、直射光の影響の大きい太陽電池（可視光測定値）を利用して紫外線測定値の最大値を見つけるよう構成している。
【００６６】
実施例３のフローチャートは実施例１および実施例２と共通部分が多いので、上記の特徴を示す測定処理部分のみを図８に図示している。具体的には、図３のフローチャートのうち、ステップＳ１８からステップＳ２４の部分が実施例３では異なるので、この部分を図８に図示している。従って、実施例３の機能全体を理解するには、図３においてステップＳ１８からステップＳ２４を図８のステップＳ１３２からステップＳ１６２に読み替えるものとする。
【００６７】
以上の次第なので、実施例３では、図３のステップＳ１４から図８のステップＳ１３２に移行し、最新の紫外線情報を不揮発記憶部４４から読み出す。そしてステップＳ１３４で、日変化予想グラフデータを暫定的に一つ選択する。また、ステップＳ１３６では、ＧＰＳデータに基づき、上記暫定グラフデータを補正する。さらに、ステップＳ１３８では、天気情報および天気予報情報に基づきグラフデータを補正する。さらに以上の補正の後、ステップＳ１４０で受信データモードであるかどうかのチェックが行われる。以上は図５のステップＳ７２からステップＳ８０と共通である。
【００６８】
ステップＳ１４０で受信データモードでないことが検知されるとステップＳ１４２に進み、ＵＶ−Ａセンサ３２およびＵＶ−Ｂセンサ３６による個別の測定をそれぞれ行う。次いでステップＳ１４４では、測定出力に基づき、それぞれＵＶ−ＡおよびＵＶ−ＢについてのＣＩＥ紫外線強度を求める。その詳細は、図５のステップＳ８６およびステップＳ９４において説明したのと同じである。
【００６９】
次に、ステップＳ１４６では、図１の内部太陽電池３０（または図７の可視光センサ１１９の出力）をミラー兼用反射型液晶１０または反射型液晶１１１に表示する。また、可視光センサ１１９の出力は次回の測定との比較のために記憶される。そしてステップＳ１４８では、記憶されている前回の太陽電池出力の記憶地よりも今回の太陽電池出力が増加しているかどうかチェックする。そして増加している場合にはステップＳ１５０に進み、ステップＳ１４４で算出された今回のＵＶ−ＡおよびＵＶ−ＢについてのＣＩＥ紫外線強度を前回の記憶値に上書きして更新しステップＳ１５２に移行する。一方、ステップＳ１４８で太陽電池出力の増加がなければ前回のＵＶ−ＡおよびＵＶ−ＢについてのＣＩＥ紫外線強度記憶を維持して直接ステップＳ１５２に移行する。以上のステップＳ１４２からステップＳ１５０の機能により、同じ方向を向いて設けられているＵＶ−Ａセンサ３２、ＵＶ−Ｂセンサ３６および内部太陽電池３０の向きを変えながらこれらを繰り返せばＵＶ−ＡおよびＵＶ−ＢについてのＣＩＥ紫外線強度の最大値が記憶部に残ることになる。
【００７０】
以上のようにして更新されるＵＶ−ＡおよびＵＶ−ＢについてのＣＩＥ紫外線強度記憶値について、ステップＳ１５２では、ＣＩＥ紫外線強度算出処理を行う。次いで、ステップＳ１５４でＣＩＥ紫外線強度をＵＶインデックスに換算する。さらに、ステップＳ１５６では測定に基づくＵＶインデックスデータに対応する時刻のグラフデータが一致するよう、グラフデータ全体を伸縮させて補正する。そしてステップＳ１５８でＵＶインデックス、ＵＶ−ＡおよびＵＶ−Ｂ個別のＣＩＥ紫外線強度の値、およびＵＶインデックス棒グラフの表示データを出力する。さらにステップＳ１６０で日変化予想グラフ表示データを出力する。なお、ステップＳ１４０で受信データモードであった場合は直ちにステップＳ１６０に進んで受信データに基づく日変化予想グラフ表示データを出力する。これらは、図５のステップＳ９６からステップＳ１０４と同じである。
【００７１】
さらにステップＳ１６２では、演算結果に基づく紫外線情報の表示をオンまたは既にオンされている場合は演算結果に基づく表示の更新指示を行い、図３のステップＳ２６に移行する。図３から明らかなように、ステップＳ２６でカウントのタイムアップが検知されるか、ステップＳ２８で操作部の操作が検出されるか、ステップＳ２９で所定時間の経過が検知されるかしない限りは図８のステップＳ１３２からステップＳ１６２が繰り返される。
【００７２】
従って、ＵＶ−Ａセンサ３２、ＵＶ−Ｂセンサ３６および内部太陽電池３０の向きを変えながらステップＳ１４２の測定およびステップＳ１５０の上書き記憶を行うことが可能となり、これによってＵＶ−ＡおよびＵＶ−ＢについてのＣＩＥ紫外線強度の最大値を記憶部に残すことができる。また、ステップＳ１４６で行われる太陽電池出力の表示の変化を参考にすれば、直射光が最大に入る向きを容易に見つけることができる。これは、既にのべたとおり、空からの紫外線総量のうち散乱光はその６割を占めるのに対し、可視光では散乱光が占める割合は１〜２割程度であり、可視光によるほうが、直射光が入る方向をシャープに検知できるからである。
【実施例４】
【００７３】
図９は、本発明の実施の形態に係る紫外線測定装置の実施例４における上面図である。本発明における紫外線測定機能は、化粧品コンパクトなどの他の商品と合体させたり、他の商品に付属させたりする場合に限らず、単体の専用紫外線測定装置としても構成できる。実施例４は、このような単体の紫外線測定装置として構成した例である。しかしながら、紫外線測定装置としては、実施例１から実施例３と共通する部分が多いので、各構成要素には２００番台の番号を付与し、図７実施例２と対応する部分については、１の位と１０の位の数字を共通とした。従ってこの番号付与のルールだけで理解できる部分については説明を省略する。
【００７４】
図９の実施例４が図７の実施例２と異なるのは、折り畳み構造をとらず、本体２０６が薄型のプレート状の形態を取ることである。その大きさは、例えば、３．８ｃｍ×６．５ｃｍであり携帯するには大き過ぎず、操作するには小さすぎないよう面積が決められる。また、本体２０６の表面は携帯に楽しい柄模様などの意匠上の工夫も凝らされる。折り畳み構造をとらないので、文字表示やグラフ表示を行う反射型液晶２１１は、第１紫外線センサ部２１６、第２紫外線センサ部２１８および太陽電池２３０が設けられるのと同じ本体２０６の上面に設けられている。太陽電池２３０は、意匠上の理由から、外観色が選択可能な色素増感型太陽電池(ＤＳＣ：Ｄｙｅ-Ｓｅｎｓｉｔｉｚｅｄ  Ｓｏｌａｒ−Ｃｅｌｌ)が採用される。
【００７５】
また、操作部は、ＵＶ−Ａ測定時に押される第１紫外線測定ボタン２２８およびＵＶ−Ｂ測定時に押される第２紫外線測定ボタン２２９に分けられており、それぞれ別に操作することによってＵＶ−ＡおよびＵＶ−Ｂが選択的に測定可能となっている。また、その配置も第１紫外線センサ部２１６および第２紫外線センサ部２１８と左右対称になっていて直感的にどちらを操作すればよいかわかるようにしている。このようなＵＶ−ＡおよびＵＶ−Ｂを選択的に測定可能とする操作部構成は、実施例１から実施例３でも採用可能である。なお、実施例４では、反射型液晶２１１が第１紫外線センサ部２１６および第２紫外線センサ部２１８による紫外線受光方向と同じ方向を向いているが、必要に応じ、測定時点と測定記憶値の表示を観察する時点で本体２０６の向きを変える。
【実施例５】
【００７６】
図１０は、本発明の実施の形態に係る紫外線測定装置の実施例５における上面図である。実施例５も図９の実施例４と同様にして単体の専用紫外線測定装置としても構成した例である。実施例４と共通する部分が多いので、各構成要素には３００番台の番号を付与し、実施例４と対応する部分については、１の位と１０の位の数字を共通とした。
【００７７】
図１０の実施例５が図９の実施例２と異なる点は、まず、薄型プレート状の本体３０６の上面の面積は実施例４のほぼ半分程度になるよう小型化されていることである。そして、ＵＶ−Ａ用受光センサチップ３１６、およびＵＶ−Ｂ用受光センサチップ３１８は、文字表示やグラフ表示を行う反射型液晶３１１の上側に設けられている。また、操作部は、実施例４と同様にしてＵＶ−Ａ測定用ボタン３２８およびＵＶ−Ｂ測定用ボタン３２９に分けられており、反射型液晶３１１を挟んで第１紫外線センサ部３１６、第２紫外線センサ部３１８の反対側に設けられている。そして、ＵＶ−Ａ用受光センサチップ３１６およびＵＶ−Ａ測定用ボタン３２８を図面で左側に配置し、ＵＶ−Ｂ用受光センサチップ３１８およびＵＶ−Ｂ測定用ボタン３２９を図面で右側に配置することで、直感的にどちらを操作すればよいかわかるようにしている。また、小型化に伴って操作がし難くなるのを避けるため、ＵＶ−Ａ測定用ボタン３２８とＵＶ−Ｂ測定用ボタン３２９の間隔は、第１紫外線センサ部３１６、第２紫外線センサ部３１８の間隔より広くとられている。
【００７８】
また、小型化に伴って上面の面積が小さくなったことに伴い、第１紫外線センサ部３１６、第２紫外線センサ部３１８、反射型液晶３１１、ＵＶ−Ａ測定用ボタン３２８およびＵＶ−Ｂ測定用ボタン３２９以外の部分をすべて太陽電池３３０とすることにより受光面積を稼いでいる。太陽電池３３０についても、意匠上の理由から、外観色が選択可能な色素増感型太陽電池(ＤＳＣ：Ｄｙｅ-Ｓｅｎｓｉｔｉｚｅｄ  Ｓｏｌａｒ−Ｃｅｌｌ)が採用される。これは、普通の無機物質系太陽電池では黒一色しかできないことが多いためである。もちろん、外観色に黒が入ることを厭わない構成をとる場合は、無機物質系太陽電池を採用しても良く、これは図９の実施例４でも同様である。
【００７９】
以上に説明した本発明の種々の特徴の実施は、上記の実施例に限られるものではなく、他の実施態様においてその利点を享受することが可能である。例えば、実施例１、実施例２および実施例３はそれぞれ化粧用コンパクトとして構成されているが、これを携帯電話として実施することが可能である。この場合、紫外線測定機能が携帯電話と一体化されるので、実施例１や実施例２で説明した近距離通信による情報交信は不要となる。
【００８０】
なお、折り畳み式の携帯電話として実施する場合、例えば実施例１のミラー部８が携帯電話の表示部、コンパクト本体６が携帯電話本体に相当する構成となる。実施例１や実施例２では、ミラーという他の目的のための構成が紫外線情報の表示部に兼用されていたが、上記のような携帯電話での実施においても、携帯電話情報の表示という他の目的のための構成が紫外線情報の表示部に兼用される。そしてここでも、携帯電話を開いた時に紫外線情報を短時間自動表示して注意を喚起するとともに他の目的を阻害しない特徴を活用できる。
【００８１】
さらに、他の商品と関連させる場合は、化粧品コンパクトや携帯電話に限らず、キーホルダー、携帯電話などのチャームやストラップなどの付属品、ペンダント、ネックレス、ブレスレットなどの装身具として構成すること、日傘、帽子、サングラスなどの紫外線対策商品に付属させること、腕時計、ハンドバッグ、ベビーカーなど戸外で使用する商品に付属させること、また窓部やバックミラーに設置するなどの形での車両への搭載することなども可能である。
【００８２】
また、本発明の特長の一つである外部サーバとの通信機能は、統計情報など紫外線にかかわる直接情報だけではなく、状況に応じた紫外線対策のためのケア情報をサーバから受信すること、や紫外線ケアに関する商品情報を受信すること、紫外線ケア商品に対する消費者モニターの実施などにも有用である。
【００８３】
さらに、ミラー兼用反射型液晶１０などへの表示は、文字表示部１２およびグラフ部１４のすべてではなく、表示部の面積とそのコストとの兼ねあいから最小限必要な一部としてもよく、また全てを表示可能とする場合においても、一覧表示ではなく所望の表示を順次選択できるようにしてもよい。これは、特に、図７の実施例２における反射型液晶１１１、図９の反射型液晶２１１または、図１０の反射型液晶３１１のように表示部の面積が限られる場合に好適である。
【００８４】
なお、図３のステップＳ１４では、可視光の強度が所定より小さいことをもって紫外線が有意な協働を持たないものと判断しているが、これに代えて、第１紫外線センサ部１６または第２紫外線センサ部１８自身の強度を判断するようにしてもよい。この場合、図３においてステップＳ１８をステップＳ１４の前に移動させる。そして、第１紫外線センサ部１６または第２紫外線センサ部１８が室内の蛍光灯程度の紫外線量程度の微弱な紫外線を検出した場合は、紫外線をゼロと認識させ、ステップＳ３４以下に進んでＵＶ表示をオンさせないように構成する。
【００８５】
また、上記の実施例においては紫外線の強度をＵＶインデックスで表示している部分の構成はこれに限られるものではない。紫外線強度は、ＭＫＳＡ単位系で計測されるエネルギー密度(Ｗ／平方メートルなど)そのものでも良いが、それらを適当な単位で変換したものや、紫外線の波長に応じて重み付けした関数をかけて積分したもの、等々、目的に応じてわかりやすく指標化したものをＵＶインデックスの代わりに用いても良い。
【００８６】
なお、ＵＶ−ＡとＵＶ−Ｂを分けて測定することは、化粧品などのＵＶケア商品がＰＡ指標、ＳＰＦ指標などに分けて表示されていることに順応するうえで好適である。良く知られているように、ＵＶ−ＡとＵＶ−Ｂは平均フォトンエネルギーが違い、肌への影響が大きく異なるため、情報としては別々とすることの意義はきわめて大きい。つまり、UVインデックスは、UV強度を人体への影響度の重み付けで積分してしまっているので、肌が焼け爛れるUV-Bの効果が強調され、「肌が黒くなる」という意識の高い女性にとって恐怖の的になるＵＶ−Ａの効果を過小評価する傾向にあるが、上記本発明の特徴によれば、ＵＶ−ＡとＵＶ−Ｂの情報を個別に提供することができる。
【産業上の利用可能性】
【００８７】
本発明は、紫外線測定装置を提供するものである。
【符号の説明】
【００８８】
１６、１８、１１６、１１８、２１６、２１８、３１６  ３１８  紫外線センサ部
５６  通信部
４０  制御部
１０、１１１、２１１、３１１  表示部
１６、１１６、２１６、３１６  第1紫外線センサ部
１８、１１８、２１８、３１８  第２紫外線センサ部
４４  日変化情報保持部
４４、補助情報保持部
【図１】
2011022009.tif 000003
【図２】
2011022009.tif 000004
【図３】
2011022009.tif 000005
【図４】
2011022009.tif 000006
【図５】
2011022009.tif 000007
【図６】
2011022009.tif 000008
【図７】
2011022009.tif 000009
【図８】
2011022009.tif 000010
【図９】
2011022009.tif 000011
【図１０】
2011022009.tif 000012